(57)【要約】      （修正有）【課題】表示画面を大きくとるとともに操作性を向上させる。【解決手段】パネル制御部１０３は、複数の表示パネルの一部または全部を組み合わせて一の表示情報（検索バーなどの文字入力欄や、画像情報。）を表示するよう制御するとともに、複数の表示パネルの一部または全部のそれぞれに操作対象を示す操作情報（文字入力をするための文字キーやアイコン。）を表示し、当該操作情報に対する操作の受け付けをハードウエアボタン１４が行うよう制御する。これにより、表示画面を大きくとるとともに、ユーザによる操作性を向上させることができる。【選択図】図２
2014191733.tif 000002
【特許請求の範囲】
【請求項１】
ユーザからの押下操作を受け付ける複数のキートップを有するハードウエアボタンと、
前記キートップのそれぞれの押下面に配置されている複数の表示パネルと、
前記複数の表示パネルの一部または全部を組み合わせて一の表示情報を表示するよう制御するとともに、前記複数の表示パネルの一部または全部のそれぞれに操作対象を示す操作情報を表示し、当該操作情報に対する操作の受け付けを前記ハードウエアボタンが行うよう制御する制御手段と、
を備える情報処理装置。
【請求項２】
前記制御手段は、
前記複数の表示パネルのそれぞれに、操作情報として、所定単位の文字情報を表示させ、
前記ハードウエアボタンは、ユーザにより押下されたとき、キートップに配置されている表示パネルに表示されている文字情報に応じた文字の入力を受け付けるよう制御する
ことを特徴とする請求項１に記載の情報処理装置。
【請求項３】
前記制御手段は、
前記複数の表示パネルのそれぞれに、表示情報として、所定単位の文字情報を表示させ、
前記ハードウエアボタンがユーザにより押下されたとき、当該押下されたハードウエアボタンのキートップに配置されている表示パネルに表示されている所定単位の文字情報を編集可能状態にする
ことを特徴とする請求項１に記載の情報処理装置。
【請求項４】
前記制御手段は、
前記複数の表示パネルのうち、一部の表示パネルに表示情報または操作情報を表示していない場合、当該一部の表示パネルをオフ状態とする制御を行う
請求項１から３のいずれか一項に記載の情報処理装置。
【請求項５】
ユーザからの押下操作を受け付ける複数のキートップを有するハードウエアボタンと、前記キートップのそれぞれの押下面に配置されている複数の表示パネルと、を備える情報処理装置の操作方法において、
前記複数の表示パネルの一部または全部を組み合わせて一の表示情報を表示するよう制御するとともに、前記複数の表示パネルの一部または全部のそれぞれに操作対象を示す操作情報を表示し、当該操作情報に対する操作の受け付けを前記ハードウエアボタンが行うよう制御する制御ステップと、
を備える操作方法。
【発明の詳細な説明】
【技術分野】
【０００１】
本発明は、タッチパネルを用いた情報処理装置及び操作方法に関する。
【背景技術】
【０００２】
近年タッチパネルを備えた携帯端末が一般的に用いられており、タッチパネルを利用して文字入力やそのほか操作等を行うことができる。例えば、特許文献１に記載の技術においては、タッチパネルに表示されている入力枠に割り当ててられている文字に対して押下することにより、文字入力を実行することが記載されている。
【先行技術文献】
【特許文献】
【０００３】
【特許文献１】特開２００９−１６９４５６号公報
【発明の概要】
【発明が解決しようとする課題】
【０００４】
しかしながら、タッチパネルによる操作性は、ハードウエアボタンと比較して劣る場合がある。例えば、ハードウエアボタンにおいては、その押下感触などにより、操作感をユーザに対して伝えることができるが、タッチパネルではそのような操作感を伝えることは困難である。一方で、タッチパネルにおいては振動やタッチ音により操作感を伝えているが、ハードウエアボタンに対する操作性と比較すると、まだ改良の余地がある。
【０００５】
そこで、本発明においては、表示画面を大きくとるとともに操作性を向上させた情報処理装置および操作方法を提供することを目的とする。
【課題を解決するための手段】
【０００６】
上述の課題を解決するために本発明の情報処理装置は、ユーザからの押下操作を受け付ける複数のキートップを有するハードウエアボタンと、前記キートップのそれぞれの押下面に配置されている複数の表示パネルと、前記複数の表示パネルの一部または全部を組み合わせて一の表示情報を表示するよう制御するとともに、前記複数の表示パネルの一部または全部のそれぞれに操作対象を示す操作情報を表示し、当該操作情報に対する操作の受け付けを前記ハードウエアボタンが行うよう制御する制御手段と、を備えている。
【０００７】
また、本発明の操作方法は、ユーザからの押下操作を受け付ける複数のキートップを有するハードウエアボタンと、前記キートップのそれぞれの押下面に配置されている複数の表示パネルと、を備える情報処理装置の操作方法において、前記複数の表示パネルの一部または全部を組み合わせて一の表示情報を表示するよう制御するとともに、前記複数の表示パネルの一部または全部のそれぞれに操作対象を示す操作情報を表示し、当該操作情報に対する操作の受け付けを前記ハードウエアボタンが行うよう制御する制御ステップと、を備えている。
【０００８】
この発明によれば、複数の表示パネルの一部または全部を組み合わせて一の表示情報を表示するよう制御するとともに、複数の表示パネルの一部または全部のそれぞれに操作対象を示す操作情報を表示し、当該操作情報に対する操作の受け付けをハードウエアボタンが行うよう制御する。これにより、表示画面を大きくとるとともに、ユーザによる操作性を向上させることができる。
【０００９】
また、本発明の情報処理装置において、前記制御手段は、前記複数の表示パネルのそれぞれに、操作情報として、所定単位の文字情報を表示させ、前記ハードウエアボタンは、ユーザにより押下されたとき、キートップに配置されている表示パネルに表示されている文字情報に応じた文字の入力を受け付けるよう制御する。
【００１０】
この発明によれば、複数の表示パネルのそれぞれに、所定単位の文字情報を表示させ、ハードウエアボタンは、ユーザにより押下されたとき、キートップに配置されている表示パネルに表示されている文字情報に応じた文字の入力を受け付けるよう制御することにより、文字情報の入力操作を向上させることができる。
【００１１】
また、本発明の情報処理装置において、前記制御手段は、前記複数の表示パネルのそれぞれに、表示情報として、所定単位の文字情報を表示させ、前記ハードウエアボタンがユーザにより押下されたとき、当該押下されたハードウエアボタンのキートップに配置されている表示パネルに表示されている所定単位の文字情報を編集可能状態にする。
【００１２】
この発明によれば、複数の表示パネルのそれぞれに、所定単位の文字情報を表示させ、ハードウエアボタンがユーザにより押下されたとき、当該押下されたハードウエアボタンのキートップに配置されている表示パネルに表示されている所定単位の文字情報を編集可能状態にする。これにより、ハードウエアボタンを押下するといった簡単な操作により、編集対象文字を選択することができる。
【００１３】
また、本発明の情報処理装置において、前記制御手段は、前記複数の表示パネルのうち、一部の表示パネルに表示情報または操作情報を表示していない場合、当該一部の表示パネルをオフ状態とする制御を行う。
【００１４】
この発明によれば、複数の表示パネルのうち、一部の表示パネルに表示情報または操作情報を表示していない場合、当該一部の表示パネルをオフ状態とする制御を行う。これにより、表示パネルによる表示電力量を低減することができる。
【発明の効果】
【００１５】
本発明によれば、表示画面を大きくとるとともに、ユーザによる操作性を向上させることができる。
【図面の簡単な説明】
【００１６】
【図１】本実施形態の携帯端末１００の上面図およびその断面を示す説明図である。
【図２】本実施形態の携帯端末１００の機能構成を示すブロック図である。
【図３】携帯端末１００のハードウェア構成図である。
【図４】表示装置１５により表示される表示画面を示す説明図である。
【図５】携帯端末１００の動作を示すフローチャートである。
【図６】表示装置１５に表示される表示画面の画面遷移を示す説明図である。
【図７】、本実施形態の携帯端末１００における表示装置１５に対する電源制御を示すフローチャートである。
【図８】文字入力またはアイコン選択の表示画面を示す説明図である。
【図９】表示パネルに対する電源制御を行った時の表示状態の変形例を示す説明図である。
【図１０】複数の表示パネル１５ｘ１〜１５ｘｎを用いて一つの表示情報または画像情報を示す説明図である。
【発明を実施するための形態】
【００１７】
添付図面を参照しながら本発明の実施形態を説明する。可能な場合には、同一の部分には同一の符号を付して、重複する説明を省略する。
【００１８】
図１は、本実施形態の情報処理装置である携帯端末１００の上面図およびその断面を示す説明図である。図１（ａ）は、携帯端末１００の上面図であり、図１（ｂ）は、携帯端末１００の断面図である。
【００１９】
図１（ａ）に示される通り、本実施形態の携帯端末１００は、複数の表示パネル１５ａ、１５ｂ…を含んだ表示装置１５をその上面に備えている。そして、図１（ｂ）に示される通り、表示装置１５を構成する表示パネル１５ａ、１５ｂ…のそれぞれは、ハードウエアボタン１４を構成する複数のボタン１４ａ、１４ｂ…の上面に貼り付けられている。なお、本実施形態において、表示パネル１５ａ、１５ｂ、１５ｃ・・・等のうち、任意のものを表示パネル１５ｘと称する。また、同様にボタン１４ａ、１４ｂ、１４ｃ・・・等のうち任意のものをボタン１４ｘと称する。また、任意の複数の表示パネルについては、複数の表示パネル１５ｘ１〜１５ｘｎ、または複数の表示パネル１５ｘn+1〜１５ｘm称する。
【００２０】
そして、表示装置１５は、起動したアプリケーションやウェブブラウザに応じた文字またはアイコンなどを、複数の表示パネル１５ｘ１〜１５ｘｎを組み合わせて表示する。ユーザは、表示パネル１５ｘに表示されている文字およびアイコン等を見ながら、当該表示パネル１５ｘを添付したボタン１４ｘを押下することにより、携帯端末１００は、文字入力や、アイコンの選択を受け付けることができる。なお、本実施形態では、ボタン１４ａ、１４ｂ等には、表示機能のみを有する表示パネル１５ａ、１５ｂ等を配置しているが、これらに代えて、タッチ機能をも有するタッチパネルディスプレイとしてもよい。
【００２１】
図２は、本実施形態の携帯端末１００の機能構成を示すブロック図である。図２に示される通り、携帯端末１００は、アプリ監視部１０１、パネル状態管理部１０２、パネル制御部１０３（制御手段）、および文字入力部１０４といった機能要素を含んで構成されている。
【００２２】
図３は、携帯端末１００のハードウェア構成図である。図２に示される携帯端末１００は、物理的には、図３に示すように、１または複数のＣＰＵ１１、主記憶装置であるＲＡＭ１２及びＲＯＭ１３、ハードウエアボタン１４、表示装置１５、ネットワークカード等のデータ送受信デバイスである通信モジュール１６、半導体メモリ１７などを含むコンピュータシステムとして構成されている。図２における各機能は、図３に示すＣＰＵ１１、ＲＡＭ１２等のハードウェア上に所定のコンピュータソフトウェアを読み込ませることにより、ＣＰＵ１１の制御のもとで、ハードウエアボタン１４からの入力を受け付け、また、表示装置１５、および通信モジュール１６を動作させるとともに、ＲＡＭ１２や半導体メモリ１７におけるデータの読み出し及び書き込みを行うことで実現される。以下、図２に示す機能ブロックに基づいて、各機能ブロックを説明する。
【００２３】
アプリ監視部１０１は、携帯端末１００においてアプリケーションが起動されたか否かを判断し、またどのアプリケーションが起動されたかを判断する部分である。アプリ監視部１０１は、起動したアプリケーションをパネル制御部１０３に通知する。
【００２４】
パネル状態管理部１０２は、ハードウエアボタン１４を構成する複数のボタン１４ａ、１４ｂ…のキートップに配置されている表示パネル１５ａ、１５ｂ…などの割り当てパターンを記憶する部分である。すなわち、この各表示パネル１５ａ、１５ｂ・・・のそれぞれと、各ボタン１４ａ、１４ｂ・・・のそれぞれとの対応関係を記憶し、また各表示パネル１５ｘにはどのような情報が表示されているかその対応関係をアプリケーションごとに記憶する。
【００２５】
パネル制御部１０３は、ハードウエアボタン１４における押下操作を検出し、押下されたボタン１４ｘに基づいて、文字入力や選択操作を受け付ける部分である。例えば、パネル制御部１０３は、ハードウエアボタン１４のうち、一のボタン１４ｘが押下されると、パネル状態管理部１０２を参照することにより、押下されたボタン１４ｘに応じた文字の入力を受け付ける。なお、文字入力を例に説明したが、これに限るものではなく、押下されたボタンに応じた機能を実行するようにしてもよい。例えば、文字の編集や、削除、またはＷｅｂ画面のリンクに対する接続処理である。
【００２６】
文字入力部１０４は、パネル制御部１０３において受け付けた文字情報を、表示装置１５を構成する複数の表示パネル１５ａ、１５ｂ…等に表示させるための表示処理を実行する部分である。すなわち、表示装置１５を構成する各表示パネル１５ａ、１５ｂ…等のどの表示パネル１５ｘに文字情報を表示させるかを判断して、その表示処理を行う部分である。なお、文字に限らず、画像の表示処理を行うこともでき、複数の表示パネル１５ｘ１〜１５ｘｎを組み合わせることで一の画像を表示させるようにしてもよい。
【００２７】
ここで、表示装置１５に表示される表示画面例について説明する。図４は、表示装置１５により表示される表示画面を示す説明図である。図４（ａ）には、そのホーム画面を示す。ここには、一般的な携帯電話のごとく、日付が表示されている。この日付等は、複数の表示パネル１５ｘを用いて表示されているが、表示パネル１５ｘの一つ一つに、日付などの数字・文字が表示されるようにしてもよい。そして、アプリケーションとして、メールアプリケーションが起動されると、図４（ｂ）に示されるようなメールの作成画面が起動される。図４（ｂ）では、表示装置１５は、表示領域１５０ａ、編集領域１５０ｂ、および入力領域１５０ｃを含んだメール作成画面を表示していることを示している。
【００２８】
表示領域１５０ａは、作成されたメール本文などの表示情報が表示される領域であり、複数の表示パネル１５ａ１１〜１５ａｎｍからなる表示パネル群１５１ａで構成されている。この表示パネル１５ａ１１〜１５ａｎｍは、その一つ一つに一文字を表示することになる。
【００２９】
編集領域１５０ｂは、メール本文を作成するための作成途中の情報である表示情報が表示される領域であり、複数の表示パネル１５ｂ１１〜１５ｂｎｍからなる表示パネル群１５１ｂで構成されている。この表示パネル１５ｂ１１〜１５ｂｎｍは、その一つ一つに一文字を表示することになる。この領域に入力された文字列に対する確定処理がなされると、表示領域１５０ａ（表示パネル群１５１ａ）に当該文字列が表示される。
【００３０】
入力領域１５０ｃは、文字を入力するための文字キーなど操作情報を表示する領域であり、複数の表示パネル１５ｃ１１〜１５ｃｎｍからなる表示パネル群１５１ｃで構成されている。ユーザは、この表示パネル群１５１ｃを構成する、文字キーを表示する表示パネル１５ｃ１１〜１５ｃｎｍのいずれかの表示パネル１５ｘに対して押下処理を行うことにより、表示パネルに対応した文字の入力を受け付けることができる。図４（ｂ）の例では、入力領域１５０ｃには、平仮名を入力するための文字キーが表示されており、それぞれ対応する表示パネル１５ｘ（ボタン１４ｘ）が押下されると、対応する平仮名の入力が受け付けられる。
【００３１】
図４（ｃ）は、メールを編集している時の図である。表示領域１５０ａにおいては、「先日は、」という文字が、表示パネル１５ａ１１〜１５ａ１４を用いて表示されている。編集領域１５０ｂにおいては、入力領域１５０ｃに表示されている文字キーに対するボタン１４ｘが押下されると、そのボタン１４ｘに割り当てられている文字が表示されることになる。例えば、表示パネル１５ｃ１３を押下すると、“あ”が入力される。なお、２回入力すると“い”が入力されることになる。また、別な方法として、“あ”行に対応する文字列（例えば、“いうえお”）が表示パネル１５ｃ１３を中心に十字状に表示され、さらに文字を選択可能にするようにしてもよい。
【００３２】
一方、図４（ｃ）においては、表示パネル１５ｂ２２の表示は、フォーカス処理がなされていることを示している。ユーザがこの表示パネル１５ｂ２２に対応するボタン１４ｘを押下すると、パネル制御部１０３はその押下されたボタン１４ｘを検出して、ボタン１４ｘに対応する表示パネル１５ｂ２２に表示されている文字の反転処理を行う。なお、ここでは、フォーカス処理として反転処理をすることを示しているが、これに限るものではない。
【００３３】
つぎに、本実施形態の携帯端末１００の動作について、図４および図５を用いて説明する。図５は、携帯端末１００の動作を示すフローチャートである。まず、ユーザ操作によりアプリケーションが起動され、アプリ監視部１０１によりどのアプリケーションが起動したか検出される（ｓ１１）。ここでは、アプリ監視部１０１により検出されたアプリケーションに応じた画面が、表示装置１５に表示される。例えば、図４（ｂ）に示される表示画面が表示される。
【００３４】
つぎに、ユーザによるハードウエアボタン１４に対する押下操作が、パネル制御部１０３により受け付けられる（ｓ１２）。ここで、押下操作が受け付けられると、その押下されたボタン１４ｘがパネル制御部１０３により判断される（ｓ１３）。ここで、押下されたボタン１４ｘが編集領域１５０ｂに含まれると判断されると、文字入力部１０４により、押下されたボタン１４ｘに対応する表示パネル１５ｘに表示される文字に対して、フォーカス処理が行われる（ｓ１４）。
【００３５】
例えば、図４（ｃ）では、編集領域１５０ｂを構成する一の表示パネル１５ｂ２２を添付しているボタン１４ｘが押下され、文字入力部１０４による文字フォーカス処理が行われたことを示す。図では、“た”が反転表示されている。
【００３６】
そして、このフォーカス処理が行われると、あらかじめ定められた処理が、そのフォーカス処理された文字に対して行われる。例えば、当該文字の削除などであるが、当然にこれに限るものではなく、あらかじめ定められた処理が行われる。
【００３７】
また、ユーザにより入力領域１５０ｃを構成する表示パネル群１５１ｃに対応するハードウエアボタン１４のうちの一つのボタン１４ｘが押下され、例えば、入力領域１５０ｃに表示されている文字キーに対応したハードウエアボタン１４のうちの一つまたはいくつかのボタン１４ｘが押下されたことがパネル制御部１０３により検出されると（ｓ１３）、パネル制御部１０３により、その押下された文字の入力が受け付けられる（ｓ１５）。そして、文字入力部１０４により、編集領域１５０ｂを構成する表示パネル群１５１ｂに、受け付けられた文字が表示される（ｓ１６）。
【００３８】
その後、編集領域１５０ｂを構成する表示パネル群１５１ｂに表示されている文字列に対して、確定処理が行われると（ｓ１７）、表示領域１５０ａを構成する表示パネル群１５１ａに、確定された文字列が表示される（ｓ１８）。なお、確定処理は、図示しない入力領域１５０ｃを構成する表示パネル群１５１ｃのうちの一つの表示パネル１５ｘ（確定機能が割り当てられたことを表示）に対応するボタン１４ｘを押下することにより行われる。
【００３９】
つぎに、電力消費量を低減するための表示装置１５における表示パネル１５ｘに対する電源制御について説明する。図６は、その画面遷移を示す説明図である。図６（ａ）は、そのホーム画面を示している。また、図６（ｂ）は、電話通話のためのアプリケーションを起動したときの画面を示している。図６（ｂ）に示されるように、通話先や、そのほか通話時間、写真・イラストがあれば、表示装置１５は、それら情報をいくつかの表示パネル１５ｘを用いて表示する。そのほかの表示装置１５における表示パネル１５ｘは、消費電力を低減するために、通電しないように制御されている。
【００４０】
ここで、アプリケーションに応じた表示パネル１５ｘに対する電源制御について説明する。図７は、本実施形態の携帯端末１００における表示装置１５に対する電源制御を示すフローチャートである。まず、アプリ監視部１０１によりアプリケーションの起動が検出される（ｓ２１）。起動したアプリケーションに応じた表示情報が表示装置１５に表示される。ここで表示装置１５のどの表示パネル１５ｘにどのような表示情報を表示させるかの割り当て処理が、パネル制御部１０３により行われる（ｓ２２）。
【００４１】
そして、表示処理の対象とはならない、余剰の表示パネル１５ｘ１〜１５ｘｎの有無が、パネル制御部１０３により判断される（ｓ２３）。ここで、余剰の表示パネル１５ｘ１〜１５ｘｎがあると、パネル制御部１０３により判断されると、余剰の表示パネル１５ｘ１〜１５ｘｎに対する通電停止処理がパネル制御部１０３により行われる（ｓ２４）。一方、余剰の表示パネル１５ｘ１〜１５ｘｎがないと判断されると、通電処理は継続される。
【００４２】
つぎに、表示装置１５に表示させる表示情報の変形例について説明する。図８（ａ）は、文字入力をするための表示画面を示し、図８（ｂ）は、アイコンを選択するための表示画面を示す。図８（ａ）は、上述した通り、平仮名を入力するための文字キーを示している。ここでは表示パネル１５ｃ１３〜１５ｃｐｑに各平仮名が表示されており、それらパネルを押下することにより文字入力が受け付けられる。
【００４３】
図８（ｂ）では、表示パネル１５ｃ２２〜１５ｃ２４に各種アイコンが表示されている。ユーザは、これら表示パネルのうち任意の表示パネル１５ｘ（ボタン１４ｘ）を押下することにより、アイコンに応じた機能を実行することができる。例えば、表示パネル１５ｃ２２を押下すると、電話アプリケーションが起動し、電話番号の入力を経て、発信処理を行うことができる。なお、表示パネル１５ｃ２３は、電子メールアプリケーションに対応し、表示パネル１５ｃ２３は、時計アプリケーションに対応する。
【００４４】
図９は、表示パネルに対する電源制御を行った時の表示状態の変形例を示す図である。図９（ａ）は、表示装置１５の上部を電源オフにして、下部に通話時間などの情報を表示させていることを示している。図９（ｂ）は、その変形例であり、中央部分に通話時間等を表示させ、その周囲を構成する表示パネル１５ｘ１〜１５ｘｎに対して電源をオフにしている。
【００４５】
図１０（ａ）は、文字キー１５２と、その検索のための文字入力欄１５３が表示されている表示装置１５の表示画面を示している。文字キー１５２については、上述図８等と同じであり、表示パネルの一つ一つに入力文字が割り当てられている。文字入力欄１５３は、本実施形態では、複数の表示パネル１５ｂ２１〜１５ｂ３５を用いて表示されている。なお、本例の場合、表示パネルは、タッチパネルの機能を備えることにより、文字入力欄への選択や、編集を容易にする。
【００４６】
図１０（ｂ）は、表示装置１５を構成する表示パネル１５ｘを用いた例を示すものである。ここでは、複数の表示パネル１５ｄ２３〜１５ｄ７４などを利用して一つの画像を表示していることを示している。
【００４７】
つぎに、本実施形態の携帯端末１００の作用効果について説明する。この携帯端末１００によれば、パネル制御部１０３は、複数の表示パネル１５ｘ１〜１５ｘｎの一部または全部を組み合わせて一の表示情報（検索バーなどの文字入力欄や、画像情報。図１０参照）を表示するよう制御するとともに、複数の表示パネル１５ｘn+1〜１５ｘｍの一部または全部のそれぞれに操作対象を示す操作情報（文字入力をするための文字キーやアイコン。図８参照）を表示し、当該操作情報に対する操作の受け付けをハードウエアボタン１４が行うよう制御する。これにより、表示画面を大きくとるとともに、ユーザによる操作性を向上させることができる。
【００４８】
また、この携帯端末１００によれば、複数の表示パネル１５１５ｘ１〜１５ｘｎのそれぞれに、所定単位の文字情報を表示させ、ハードウエアボタン１４は、ユーザにより押下されたとき、キートップに配置されている表示パネル１５ｘに表示されている文字情報に応じた文字の入力を受け付けるよう制御することにより、文字情報の入力操作を向上させることができる。
【００４９】
また、この携帯端末１００によれば、複数の表示パネル１５ｘのそれぞれに、所定単位の文字情報を表示させ、ハードウエアボタン１４のうちいずれかのボタン１４ｘがユーザにより押下されたとき、当該押下されたボタン１４ｘのキートップに配置されている表示パネル１５ｘに表示されている所定単位の文字情報を編集可能状態にする。これにより、ハードウエアボタン１４を押下するといった簡単な操作により、編集対象文字を選択することができる。
【００５０】
また、この携帯端末１００によれば、複数の表示パネル１５１５ｘ１〜１５ｘｎのうち、一部の表示パネル１５ｘに表示情報または操作情報を表示していない場合、当該一部の表示パネル１５ｘをオフ状態とする制御を行う。これにより、表示パネル１５ｘによる表示電力量を低減することができる。
【符号の説明】
【００５１】
１４…ハードウエアボタン、１４ａ…ボタン、１４ｘ…ボタン、１５…表示装置、１５ａ…表示パネル、１６…通信モジュール、１７…半導体メモリ、１００…携帯端末、１０１…アプリ監視部、１０２…パネル状態管理部、１０３…パネル制御部、１０４…文字入力部。
【図１】
2014191733.tif 000003
【図２】
2014191733.tif 000004
【図３】
2014191733.tif 000005
【図４】
2014191733.tif 000006
【図５】
2014191733.tif 000007
【図６】
2014191733.tif 000008
【図７】
2014191733.tif 000009
【図８】
2014191733.tif 000010
【図９】
2014191733.tif 000011
【図１０】
2014191733.tif 000012